(57)【要約】 【課題】  擬毛及び地毛の堅固な連結を低いコストで容易に実現できる連結構造及び連結方法を提供する。【解決手段】  少なくとも１本の擬毛及び少なくとも１本の地毛が並んだ毛束の交差位置Ａを共有する２つの輪であって、交差位置Ａに対して毛元側の毛束６Ｂからなる輪の中を毛先側の毛束６Ａが通る第１の輪１０及び毛先側の毛束６Ａからなる輪の中を毛元側の毛束６Ｂが通る第２の輪１２と、第１の輪１０の中を通過した毛先側の毛束６Ａが輪の外に伸びた毛先側の擬毛２Ａ及び地毛４Ａと、第２の輪１２の中を通過した毛元側の毛束６Ｂが輪の外に伸びた毛元側の擬毛２Ｂ及び地毛４Ｂと、と備えた擬毛及び地毛の連結構造２０を提供する。【選択図】  図１
2018066081.tif 000002
【特許請求の範囲】
【請求項１】
少なくとも１本の擬毛及び少なくとも１本の地毛が並んだ毛束の交差位置を共有する２つの輪であって、前記交差位置に対して毛元側の前記毛束からなる輪の中を毛先側の前記毛束が通る第１の輪及び前記毛先側の毛束からなる輪の中を前記毛元側の毛束が通る第２の輪と、
前記第１の輪の中を通過した前記毛先側の毛束が輪の外に伸びた毛先側の擬毛及び地毛と、
前記第２の輪の中を通過した前記毛元側の毛束が輪の外に伸びた毛元側の擬毛及び地毛と、
を備えたことを特徴とする連結構造。
【請求項２】
少なくとも１本の擬毛及び少なくとも１本の地毛が並んだ毛束が交差してなる第１の輪と、
前記第１の輪と隣接した位置で、前記毛束の交差位置に対して毛先側の前記毛束が毛元側の前記毛束の周囲を一周してなる、輪の中を前記毛元側の毛束が通過する第２の輪と、
前記毛元側の毛束の周囲を一周した前記毛先側の毛束が前記第１の輪の中を通過して輪の外に伸びた毛先側の擬毛及び地毛と、
前記毛元側の毛束が前記第２の輪の中を通過して輪の外に伸びた毛元側の擬毛及び地毛と、
を備えたことを特徴とする連結構造。  
【請求項３】
前記第１の輪の中から伸びた前記毛先側の擬毛の長さと、前記第２の輪の中から伸びた前記毛元側の擬毛の長さが概略同じであることを特徴とする請求項１または２に記載の連結構造。
【請求項４】
少なくとも１本の擬毛及び少なくとも１本の地毛を並ばせた毛束を交差させて第１の輪を形成するステップ１と、
前記毛束の交差位置に対して毛先側の前記毛束を、毛元側の前記毛束の周囲を一周させて、輪の中を前記毛元側の毛束が通過する第２の輪を形成するステップ２と、
前記毛元側の毛束の周囲を一周させた前記毛先側の毛束を、前記第１の輪の中を通過させて、毛先側の擬毛及び地毛が輪の外に伸びるように引き抜くステップ３と、
を含むことを特徴とする擬毛及び地毛の連結方法。
【請求項５】
少なくとも１本の擬毛及び少なくとも１本の地毛を並ばせた毛束をタッピ先端のフック部分に入れた状態で、前記タッピを略半回転させることで前記毛束を交差させて、第１の輪を形成するステップ１と、
前記第１の輪を前記タッピの軸部に移動させた後、前記毛束の交差位置に対して毛先側の前記毛束を、前記タッピの軸部の周りを略一周させて、中を毛元側の前記毛束が通過する第２の輪を形成するステップ２と、
略一周させた前記毛先側の毛束を前記フック部分に入れた状態で、前記フック部分が前記第一の輪の中を通過して前記毛先側の擬毛及び地毛が輪の外に毛伸びるように、前記タッピを引き抜くステップ３と、
を含むことを特徴とする擬毛及び地毛の連結方法。
【請求項６】
前記ステップ１において、前記擬毛の略中央位置で前記毛束を交差させることを特徴とする請求項４または５に記載の擬毛及び地毛の連結方法。
【発明の詳細な説明】
【技術分野】
【０００１】
本発明は、擬毛及び地毛の連結構造及び連結方法に関する。
【背景技術】
【０００２】
人の地毛に擬毛を取り付ける増毛方法が知られている。この増毛方法の中には、複数の擬毛が備えられた増毛ヘアを地毛に取り付けることにより、増毛の作業効率を高めたものが提案されている。（例えば、特許文献１参照）。
【先行技術文献】
【特許文献】
【０００３】
【特許文献１】特開２０１５−１７２２６２号公報
【発明の概要】
【発明が解決しようとする課題】
【０００４】
特許文献１に記載の増毛方法では、複数の擬毛が備えられた増毛ヘアを地毛に取り付けるので、一度の取り付け作業で複数の毛を増やすことができる。しかし、この増毛方法では、１本の地毛の周囲に１本の擬毛を巻き付けて留めるだけなので、１本の毛による摩擦力にはおのずと限界がある。よって、増毛ヘアが引っ張られたとき、増毛ヘアが地毛から抜け落ちる可能性がある。また、この増毛方法では、特別な増毛ヘアを製造する必要があり、特別な治具も要するので、総合的な増毛コストが高くなる可能性がある。
【０００５】
本発明は、上記の課題を解決するものであり、擬毛及び地毛の堅固な連結を低コストで容易に実現できる擬毛及び地毛の連結構造及び連結方法を提供することを目的とする。
【課題を解決するための手段】
【０００６】
上記の課題を解決するため、本発明の１つの実施態様に係る連結構造は、
少なくとも１本の擬毛及び少なくとも１本の地毛が並んだ毛束の交差位置を共有する２つの輪であって、前記交差位置に対して毛元側の前記毛束からなる輪の中を毛先側の前記毛束が通る第１の輪及び前記毛先側の毛束からなる輪の中を前記毛元側の毛束が通る第２の輪と、
前記第１の輪の中を通過した前記毛先側の毛束が輪の外に伸びた毛先側の擬毛及び地毛と、
前記第２の輪の中を通過した前記毛元側の毛束が輪の外に伸びた毛元側の擬毛及び地毛と、
を備える。
【０００７】
本発明の１つの実施態様に係る連結方法は、
少なくとも１本の擬毛及び少なくとも１本の地毛を並ばせた毛束を交差させて第１の輪を形成するステップ１と、
前記毛束の交差位置に対して毛先側の前記毛束を、毛元側の前記毛束の周囲を一周させて、中を前記元側の毛束が通過する第２の輪を形成するステップ２と、
前記毛元側の毛束の周囲を一周させた前記毛先側の毛束を、前記第１の輪の中を通過させて、毛先側の擬毛及び地毛が輪の外に伸びるように引き抜くステップ３と、
を含む。
【発明の効果】
【０００８】
以上のように、本発明においては、擬毛及び地毛の堅固な連結を低コストで容易に実現できる擬毛及び地毛の連結構造及び連結方法を提供することができる。
【図面の簡単な説明】
【０００９】
【図１】本発明の１つの実施形態に係る擬毛及び地毛の連結構造を模式的に示す斜視図である。
【図２】本発明の１つの実施形態に係る擬毛及び地毛の連結構造において、結び目を緩めた状態を模式的に示す斜視図（写真）である。
【図３】本発明の１つの実施形態に係る擬毛及び地毛の連結方法を模式的に示す斜視図（写真）である。
【図４】図３の連結方法で形成した擬毛及び地毛の連結構造を模式的に示す斜視図（写真）である。
【図５】タッピを用いた本発明の実施形態に係る擬毛及び地毛の連結方法を模式的に示す斜視図（写真）である。
【図６】図５に示すタッピを用いた擬毛及び地毛の連結方法の更に詳細な手順を示す模式図である。
【発明を実施するための形態】
【００１０】
(本発明の実施形態に係る連結構造の説明）
はじめに、図１及び図２を参照ながら、本発明の１つの実施形態に係る擬毛及び地毛の連結構造の説明を行う。ここで図１は、本発明の１つの実施形態に係る擬毛及び地毛の連結構造を模式的に示す斜視図であり、図２は、本発明の１つの実施形態に係る擬毛及び地毛の連結構造において、結び目を緩めた状態を模式的に示す斜視図（写真）である。なお、図２では、色の異なる紐で、擬毛及び地毛を表している。
【００１１】
本実施形態に係る擬毛及び地毛の連結構造２０は、結び面を緩めた場合を示す図２から明らかなように、１本の擬毛２及び１本の地毛４が並んだ毛束６の交差位置Ａを共有する２つの輪１０、１２を有する。具体的には、連結構造２０は、交差位置Aに対して毛元側の毛束６Ｂからなり、輪の中を毛先側の毛束６Ａが通る第１の輪１０、及び毛先側の毛束６Ａからなり、輪の中を毛元側の毛束６Ｂが通る第２の輪１２を備える。ここで言う毛先側とは、地毛における毛先側を意味し、毛元側とは、地毛における毛元側（頭皮側）を意味する。
更に、連結構造２０は、第１の輪１０の中を通過した毛先側の毛束６Ａが輪の外に伸びた毛先側の擬毛２Ａ及び地毛４Ａ、並びに第２の輪１２の中を通過した毛元側の毛束６Ｂが輪の外に伸びた毛元側の擬毛２Ｂ及び地毛４Ｂを備える。地毛４は、図面左側で頭皮と繋がっている（図示せず）。
【００１２】
本実施形態に係る擬毛及び地毛の連結構造２０は、下記のように表すこともできる。
連結構造２０は、１本の擬毛２及び１本の地毛４が並んだ毛束６（具体的には毛元側の毛束６Ｂ）が交差してなる第１の輪１０、及び第１の輪１０と隣接した位置で、毛束の交差位置Ａに対して毛先側の毛束６Ａが毛元側の毛束６Ｂの周囲を一周してなる、中を毛元側の毛束６Ｂが通過する第２の輪１２を備える。更に、連結構造２０は、毛元側の毛束６Ｂの周囲を一周した毛先側の毛束６Ａが、毛元側の毛束６Ｂからなる第１の輪１０の中を通過して輪の外に伸びた毛先側の擬毛２Ａ及び地毛４Ａを備える。また、連結構造２０は、毛元側の毛束６Ｂが、毛先側の毛束６Ａからなる第２の輪１２の中を通過して輪の外に伸びた毛元側の擬毛２Ｂ及び地毛４Ｂを備える。
【００１３】
以上のように、第１の輪１０及び第２の輪１２、並びにそれらの輪１０、１２の中を通過する領域では、擬毛２及び地毛４が並んで配置されているので毛束６として表し、輪１０、１２を通過して外へ伸びた後は、個々の擬毛２及び地毛４として表している。
本実施形態に係る毛束６では、１本の擬毛２及び１本の地毛４が並んだ場合を示しているが、これに限られるものではなく、１本の地毛に複数の擬毛を連結する場合もあり得る。また、地毛の強度が弱い場合等には、複数の地毛に１本または複数の擬毛を連結する場合もあり得る。つまり、本発明では、少なくとも１本の擬毛及び少なくとも１本の地毛を並ばせた毛束を用いることができる。
【００１４】
本実施形態に係る連結構造２０では、図２の状態から、外に伸びた擬毛２Ａ及び地毛４Ａ（図面右側）、並びに外に伸びた擬毛２Ｂ及び地毛４Ｂ（図面左側）を左右に引くことにより、図１に示す結び目が形成される。このとき、第１の輪１０において、輪を形成する毛元側の毛束６Ｂ及び中を通る毛先側の毛束６Ａの間で摩擦による拘束力が得られる。同様に、第２の輪１２において、輪を形成する毛先側の毛束６Ａ及び中を通る毛元側の毛束６Ｂの間で摩擦による拘束力が得られる。更に、第１の輪１０及び第２の輪１２が互いに近接する方向の力が加わり、第１の輪１０及び第２の輪１２の間の面圧に基づく摩擦による拘束力が得られる。これらの拘束力が互いに協働して、結び目がほどけない強固な連結構造が実現できる。
【００１５】
つまり、ボルトナットを用いた締結における、ダブルナットを用いた場合と同様な強い連結力を得ることができる。このような強い連結力を有する連結構造を、特別に製造した部材を用いることなく、シンプルな結び目の組み合わせで得ることができる。よって、擬毛及び地毛の堅固な連結を低コストで容易に実現できる連結構造を提供することができる。
【００１６】
更に、第１の輪１０の中から伸びた毛先側の擬毛２Ａの長さと、第２の輪１２の中から伸びた毛元側の擬毛２Ｂの長さが概略同じである場合には、１本の擬毛であたかも２本の毛が生えているように見せることができる。よって、効率的な増毛が実現できる。ただし、これに限られるものではなく、植毛する位置や用途によっては、第１の輪１０から伸びた毛先側の擬毛２Ａの長さと、第２の輪１２から伸びた毛元側の擬毛２Ｂの長さを意図的に異ならせることもできる。
【００１７】
(本発明の実施形態に係る連結方法の説明）
次に、図３及び図４を参照ながら、本発明の１つの実施形態に係る擬毛及び地毛の連結方法の説明を行う。ここで図３は、本発明の１つの実施形態に係る擬毛及び地毛の連結方法を模式的に示す斜視図（写真）であり、図４は、図３の連結方法で形成した擬毛及び地毛の連結構造を模式的に示す斜視図（写真）である。図３及び図４でも、色の異なる紐で、擬毛及び地毛を表している。
【００１８】
本実施形態に係る連結方法では、図３（ａ）に示すように、少なくとも１本（図面では1本）の擬毛２及び少なくとも１本（図面では1本）の地毛４を並ばせた毛束６を交差させて第１の輪１０を形成するステップ１を実施する。これにより、毛束の交差位置Ａに対して毛元側の毛束６Ｂによる第１の輪１０が形成される。
【００１９】
次に、図３（ｂ）、（ｃ）に示すように、毛束の交差位置Ａに対して毛先側の毛束６Ａについて、毛元側の毛束６Ｂの周囲を一周させて、中を毛元側の毛束６Ｂが通過する第２の輪１２を形成するステップ２を実施する。
【００２０】
更に、図３（ｄ）に示すように、毛元側の毛束６Ｂの周囲を一周させた毛先側の毛束６Ａについて、毛元側の毛束６Ｂからなる第１の輪１０の中を通過させて、毛先側の擬毛２Ａ及び地毛４Ａが輪１０の外に伸びるように引き抜くステップ３を実施する。
これにより、図４（ａ）に示すような連結構造２０を得ることができる。連結構造２０の結び目部分の詳細を、図４（ｂ）に示す。基本的な構造は、図１に示す場合と同様である。
【００２１】
（タッピを用いた連結方法の説明）
次に、図４及び図５を参照ながら、タッピを用いた本発明の実施形態に係る擬毛及び地毛の連結方法の説明を行う。ここで図５は、タッピを用いた本発明の実施形態に係る擬毛及び地毛の連結方法を模式的に示す斜視図（写真）であり、図６は、図５に示すタッピを用いた擬毛及び地毛の連結方法の更に詳細な手順を示す模式図である。
【００２２】
タッピを用いた本実施形態に係る連結方法についても、基本的な連結方法は、図３に示す連結方法と同様である。なお、タッピとは、図６の＃８、＃１０に示すように、開閉可能なフック部３２を有する治具である。開いた状態で、擬毛及び地毛からなる毛束をフック部３２内に入れて、フック部３２を閉じることにより、毛束が抜け出ることなく、毛束を交差させたり、輪から引き抜いたりすることができる。図５において、薄い色の糸で擬毛を表し、濃い色の糸で地毛を表している。
【００２３】
図５（ａ）、（ｂ）に示すように、少なくとも１本（図面では1本）の擬毛及び少なくとも１本（図面では1本）の地毛を並ばせた毛束６をタッピ３０の先端のフック部分３２に入れた状態で、タッピ３０を略半回転させることで毛束６を交差させて、第１の輪１０を形成するステップ１を実施する。次に、図５（ｃ）に示すように、第１の輪１０をタッピ３０の軸部３４に移動させた後、図５（ｄ）に示すように、毛束の交差位置に対して毛先側の毛束６Ａを、タッピ３０の軸部３４の周りを略一周させて、中を毛元側の毛束６Ｂが通過する第２の輪１２を形成するステップ２を実施する。次に、図５（ｅ）、（ｆ）に示すように、略一周させた毛先側の毛束６Ａをフック部分３２で捉えた状態（毛束を入れてフック部３２を閉じた状態）で、フック部分３２が第１の輪１０の中を通過して毛先側の擬毛２Ａ及び地毛４Ａが輪の外に伸びるように、タッピ３０を引き抜くステップ３を実施する。
【００２４】
以上のように、タッピ３０を用いることにより、短時間に容易に擬毛及び地毛の連結構造を形成することができる。特に、タッピ３０を用いることにより、複数の擬毛を指と指の間で保持しながら、複数の連結構造を短時間に連続的に形成することができるので、非常に効率的な増毛作業を実現できる。タッピは一般的な治具であり、特別な部材や特別な治具を用いることなく、低コストで容易に擬毛及び地毛の堅固な連結構造を得ることができる。
【００２５】
図６にも同様な工程が示され、少なくとも１本（図では1本）の擬毛２及び少なくとも１本（図では1本）の地毛４を並ばせた毛束６を形成する工程を＃１、２に示し、この毛束６をタッピ３０の先端のフック部分３２に引っかける工程を＃３に示し、毛束６をフック部３２に入れた状態でタッピ３０を略半回転させることにより、毛束６を交差させて第１の輪１０を形成する工程を＃４、５、６に示す。このような＃１から＃６の工程により、ステップ１が実施される。
【００２６】
次に、第１の輪１０をタッピ３０の軸部３４に移動させる工程を＃７に示し、毛束の交差位置に対して毛先側の毛束６Ａを、タッピ３０の軸部３４の周りを略一周させて、中を毛元側の毛束が通過する第２の輪１２を形成する工程を＃８、９に示す。このような＃８、９の工程により、ステップ２が実施される。
【００２７】
次に、略一周させた毛先側の毛束６Ａをフック部分３２で捉える（擬毛を入れてフック部３２を閉じる）工程を＃１０に示し、毛先側の毛束６Ａをフック部分３２で捉えた状態で、フック部分３２を第１の輪１０の中を通過させて、毛先側の擬毛２Ａ及び地毛４Ａが輪の外に毛伸びるように、タッピ３０を引き抜く工程を＃１１〜＃１４に示す。このような＃１１〜１４の工程により、ステップ３が実施される。以上のような工程により、＃１５に示すような擬毛及び地毛の連結構造２０が得られる。
【００２８】
上記のような連結方法のステップ１において、擬毛の略中央位置で毛束を交差させることにより、第１の輪から伸びた毛先側の擬毛の長さと、第２の輪から伸びた毛元側の擬毛の長さが概略同じになるようにすることもできる。
【００２９】
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００３０】
２          擬毛
２Ａ        毛先側の擬毛
２Ｂ        毛元側の擬毛
４          地毛
４Ａ        毛先側の地毛
４Ｂ        毛元側の地毛
６          毛束
６Ａ        毛先側の毛束
６Ｂ        毛元側の毛束
１０        第１の輪
１２        第２の輪
２０        連結構造
３０        タッピ
３２        フック部
３４        軸部
Ａ          交差位置
【図１】
2018066081.tif 000003
【図２】
2018066081.tif 000004
【図３】
2018066081.tif 000005
【図４】
2018066081.tif 000006
【図５】
2018066081.tif 000007
【図６】
2018066081.tif 000008